(57)【要約】【課題】本発明では、駆動回路が不要な、視認性が高くて、安価で軽くて、薄い、プリフォーム画像を繰り返し書き換え表示可能なプリフォーム画像表示技術を提示する。【解決手段】電圧印加によりプリフォーム画像を表示するディスプレイにおいて、プリフォーム画像パターンを有する導電層を、表示素子構成部の外に有することを特徴とするプリフォーム画像表示ディスプレイ。【選択図】        図１
2007010732.tif 000002
【特許請求の範囲】
【請求項１】
電圧印加によりプリフォーム画像を表示するディスプレイにおいて、プリフォーム画像パターンを有する導電層を、表示素子構成部の外に有することを特徴とするプリフォーム画像表示ディスプレイ。
【発明の詳細な説明】
【技術分野】
【０００１】
本発明は例えば家庭用ディスプレイ、広告掲示板、広告表示灯などのプリフォーム画像形成可能な発光表示素子、およびその発光表示パターンの表示、書き換えに係わるプリフォーム画像表示ディスプレイに関するものである。
【背景技術】
【０００２】
従来、プリフォーム画像表示ディスプレイとして、紙を使った印刷物や、画像を形成した透明フィルムの裏側から蛍光灯などで照らして、広告、案内表示を行うものが、数多く使用されている。
【０００３】
また液晶表示ディスプレイは、駆動回路を持ち、これに表示情報信号を入力することで、テレビ、情報表示板などのように表示画像の書き換えが可能で、さまざまな用途に利用されている。しかし表示ディスプレイとして、さまざまな場所に設置しておくには、さらに安価にして、軽くて、薄い形状にする必要がある。
【０００４】
最近になって有機ＥＬディスプレイの開発が盛んに行われている。有機ＥＬディスプレイは自発光なので液晶表示ディスプレイの様なバックライトが不要で、さらに薄型軽量の表示装置となり得る。これをプリフォーム画像表示ディスプレイとして利用する場合、もしも駆動回路が不要になれば、視認性が高くて、紙を使った印刷物に近い、安価で軽くて薄い表示ディスプレイが可能になる。
【０００５】
特許文献１に有機ＥＬを使ったプリフォーム画像表示ディスプレイ作製方法として次の技術が開示されている。対向する電極とその間に有機ＥＬ層を有し、ＥＬ層と片方の電極間に導電性の違いによるパターン形成可能な導電性メモリー層を持つ。この導電性メモリー層に露光、温度変化、電圧印加することによって、導電性の違いによる画像パターンを形成、書き換えを行うことで所定のパターンＥＬ発光像を得られるというものである。しかし、導電性メモリー層を電極と有機ＥＬ層の間に挟むことは、素子特性劣化、素子寿命劣化等の新たな問題が発生する可能性がある。
【０００６】
また特許文献２に有機ＥＬを使ったディスプレイの作製技術として次の技術が開示されている。透明基板に透明電極、有機ＥＬ発光素子膜までを成膜、次に別基板に上部電極部分を成膜したものを用意して、両方の基板の膜面どうしを接続、電気的導通をとってディスプレイを作製するというものである。この場合ディスプレイは封止してしまい、上部電極にプリフォーム画像パターンを形成する技術的方法は開示されていな。これも従来のディスプレイ同様プリフォーム画像パターンを形成するのは難しい。
【特許文献１】特開２０００−３４８８６８号公報
【特許文献２】特開平１１−４０３７０号公報
【発明の開示】
【発明が解決しようとする課題】
【０００７】
本発明では、上記、駆動回路が不要な、視認性が高くて、安価で軽くて、薄い、プリフォーム画像を繰り返し書き換え表示可能なプリフォーム画像表示技術を提示する。具体的にはプリフォーム画像情報をあらかじめ電極パターンとして用意し、表示構成部の外側から接続することにより、表示特性に影響の少ないプリフォーム画像表示ディスプレイを提供する技術手段を提示する。
【課題を解決するための手段】
【０００８】
この発明は下記の構成を備えることにより上記課題を解決できるものである。
【０００９】
（１）電圧印加によりプリフォーム画像を表示するディスプレイにおいて、プリフォーム画像パターンを有する導電層を、表示素子構成部の外に有することを特徴とするプリフォーム画像表示ディスプレイ。
【００１０】
本発明の利点は、表示構成部を作製後、プリフォームパターン導電膜を接続することで所望の画像が表示可能となり、第２基板を交換することで別パターンの画像を表示することができるという点にある。
【発明の効果】
【００１１】
本発明によれば、ディスプレイ構成部作製後、プリフォーム画像パターンを繰り返し形成可能な、プリフォーム画像ディスプレイが実現可能になった。
【発明を実施するための最良の形態】
【００１２】
以下本発明を実施するための最良の形態を、実施例により詳しく説明する。
【実施例】
【００１３】
図１は本発明のプリフォーム画像表示ディスプレイの断面図である。
【００１４】
透明基板１１はガラス、プラスチックなどの材料からなる。透明電極１２は、ＩＴＯ，ＩＺＯ等の金属酸化物導電膜からなる。通常は膜厚２０−５００ｎｍ、シート抵抗値は５０Ω／□以下である。
【００１５】
第２電極膜１４は、１００Ω／□以上のシート抵抗値を持つように比抵抗値、膜厚を調整する。適用可能な材料として例えば金属酸化物半導体、金属酸化物半導体と金属の混合物などが挙げられる。金属元素としては、例えば、バナジウム、レニウム、鉄、銅、コバルト、ニッケル、スズ、アンチモン、鉛などである。加熱蒸着、スパッタ成膜することで所望の特性の電極膜が得られる。シート抵抗値は例えば酸化膜の酸素含有量を調整することや、混合元素の組成比を変化させることで変えられる。第２電極膜１４の役割は異方性導電膜を通して注入される電荷（例えば電子）を、膜厚方向に有機ＥＬ層へ流すことである。もしも第２電極膜内でこの電荷が多く拡散すると、発光画像がにじんでしまうので好ましくない。このためには、１００Ω／□以上のシート抵抗値を持つような第２電極膜１４の膜厚を、１μ以下にすることが好ましい。
【００１６】
異方性導電膜１５は、例えば特開平０７−０２５１８９号公報などに開示されているように、例えばアセチレン系などの共役系重合体、ゴム、スチレン系、アクリル系などの樹脂に粒子状の導電性フィラー（カーボン、銀、銅など）、フレーク状、繊維状の導電性フィラー（アルミニウム、カーボン、ニッケルなど）を分散させたものが用いられる。
【００１７】
導電性フィラーの材料、形状、混合比率、分散する樹脂の材料、膜の形成方法を最適化することで、膜方向に電荷移動（注入）が十分可能で、異方性導電膜１５膜内方向には電荷が拡散しない特性を実現する。
【００１８】
プリフォームパターン形状の導電膜１６は、本発明の発光表示素子層に電圧を印加する電極に相当する。アルミニウム、銀などの金属導電膜を例えば特開２００４−２５６７５７号公報や特開２００４−１６１９６０号公報に開示されているような導電性インクを用いて、インクジェットプリンターなどで印刷することが可能である。
【００１９】
また特開平８−２５８２１号公報、特開２００２−３２４９６６号公報などに開示されているように、導電性微粒子（カーボン、金属など）、水溶性熱硬化性樹脂（アクリル系ポリマー、酢酸ビニル系ポリマーなど）、発泡剤（重炭酸塩、ジアゾアミノベンゼンなど）を主成分とする印刷インクでプリフォームパターン形状を印刷するか、前記成分を含むインクリボンを用いてプリフォームパターン形状を熱転写印刷することも可能である。この印刷パターンを加熱処理すると発泡しながら熱硬化するので、凸形状の導電パターンの形成が可能である。凸形状の導電パターンは、重ねたとき、異方性導電膜との電気接続が良好になる。
【００２０】
つながっていないプリフォームパターン形状の導電膜１６それぞれに所定の電圧を印加してパターン部を発光させる必要がある。これには例えば図２に例示するような、導電性膜１８表面を持つ印刷シート１７上に微細なスルーホールを持つ絶縁膜１９が形成され、プリフォームパターン形状の導電膜１６を形成する部分は導電性表面と導通になるような印刷シート基板を用いることが好ましい。これは例えばプラスチック、紙のシートに導電性樹脂をコーティング、あるいは金属膜を蒸着した後、特開２００１−２７７３５４号公報に開示されているように、ポリエチレン、ポリプロピレンなどの熱可塑性樹脂をコーティングした後にエンボス加工を行い。下面の導電性表面まで貫通する微細穴を全面に開けても良い。
【００２１】
プリフォームパターン形状の導電膜１６を形成する基板が透明であって、導電性インク成分が例えばＩＴＯなどの透明酸化物導電粒子にすれば、発光表示素子層を透明にすることが可能である。
【００２２】
さらに発光色が異なる本発明のプリフォーム画像表示ディスプレイを重ねて表示すれば、多色ディスプレイとして使用することも可能である。
【００２３】
表示素子構成部に有機ＥＬパネルを使用する場合
図３は本発明のプリフォーム画像表示ディスプレイの表示素子に有機ＥＬディスプレイを用いた時の断面図である。
【００２４】
透明基板２１は、ガラス、プラスチックなどの材料からなる。透明電極２２は、ＩＴＯ，ＩＺＯなどの金属酸化物導電膜からなる。通常は２０−５０ｎｍ、シート抵抗値は５０Ω／□以下である。有機ＥＬ素子層２３は、正孔輸送層２３ａ，発光層２３ｂ，電子輸送層２３ｃなどからなる。通常は有機ＥＬ層全体で５０−２００ｎｍほどの膜厚である。
【００２５】
有機ＥＬ素子の構成、材料については例えば特開２００２−０７５６６０号公報に記述されているような従来の有機ＥＬ材料、層構成、所定の膜厚を選択することができる。
【００２６】
表示素子構成部にＬＣＤパネルを使用する場合
図４は本発明のプリフォーム画像表示ディスプレイに表示素子にＬＣＤパネルを用いた時の断面図である。
【００２７】
液晶基板３１にはガラス、プラスチックなどの材料からなる基板上にＩＴＯ，ＩＺＯなどの透明金属酸化物導電膜が用いられる。
【００２８】
透明電極３３はＩＴＯ，ＩＺＯなどの透明金属酸化物導電膜からなる。液晶層３２にはＴＮ型やＳＴＮ型等の通常の液晶材料が使用される。液晶基板３１には液晶分子を配向させるために、ポリイミド、ポリスルフォン、ポリエチレンテレフタラート等の高分子配向材が用いられる。
【００２９】
表示素子構成部にＰＬＤパネルを使用する場合
図５は本発明のプリフォーム画像表示ディスプレイに表示素子にＰＬＤパネルを用いた時の断面図である。
【００３０】
ＰＬＤの構成、材料については例えば特開２００２−２４４５８４号公報に記述されているような材料、構成、形状を選択することができる。
【００３１】
透明電極４１と透明電極４４の間に白い粒子４２とコピー機の黒いトナー粒子４３が挟まっている。透明電極４１、透明電極４４には通常、ＩＴＯ，ＩＺＯなどの透明金属参加導電膜が使われ、透明電極４１は基板上にＩＴＯ，ＩＺＯなどの積層したものが使われる。
【００３２】
表示面の膜にマイナスの電圧を印加すると、黒い粒子４３がプラスに帯電して引き寄せられ、黒く見える。反対に電圧をかけると、黒い粒子４３が逆に移動し白く見える。またペーパーディスプレイは電圧を切っても、表示を保ち、表示内容を変えるときのみ所定の電界を作用（電圧の印加）させればよい。
【図面の簡単な説明】
【００３３】
【図１】本発明のプリフォーム画像表示ディスプレイの断面図の一例を示す図
【図２】本発明のプリフォーム画像表示ディスプレイの断面図の一例を示す図
【図３】本発明のプリフォーム画像表示ディスプレイの表示素子に有機ＥＬディスプレイを用いた時の断面図
【図４】本発明のプリフォーム画像表示ディスプレイに表示素子にＬＣＤパネルを用いた時の断面図
【図５】本発明のプリフォーム画像表示ディスプレイに表示素子にＰＬＤパネルを用いた時の断面図
【符号の説明】
【００３４】
１１    透明基板
１２    透明電極
１３    発光表示素子層
１４    電極膜
１５    異方性導電膜
１６    プリフォームパターン形状の導電膜
１７    印刷シート
１８    導電性膜
１９    絶縁膜
２１    透明基板
２２    透明電極
２３    有機ＥＬ素子層
２３ａ  正孔輸送層
２３ｂ  発光層
２３ｃ  電子輸送層
３１    液晶基板
３２    液晶層
３３    透明電極
４１    透明電極
４２    白い粒子
４３    黒いトナー粒子
４４    透明電極
【図１】
2007010732.tif 000003
【図２】
2007010732.tif 000004
【図３】
2007010732.tif 000005
【図４】
2007010732.tif 000006
【図５】
2007010732.tif 000007